(57)【要約】健康で高品質のペット動物の繁殖源を確保し、これにアフターサービスを付けて適正価格で手軽に安心して購入出来る電子ペット牧場サーバーシステムを提供するもので、繁殖会員申込書の送信（１２ｃ）を受けて血統等情報に基づき審査選抜、優秀な遺伝的資質を有するベット動物の種牡及び種牝をデータベースに、その飼育者を繁殖会員として登録（２１）し、種牝の発情開始報告受信（２３ａ）により、種牝、遺伝子情報及び種牡の各データベースに記録された血統等情報に基づき、最適種牡が自動的に選定され、交配を実行する。出産報告書（３４）の受信により自動的に産生仔を買取り（３２）、在庫生体データベースに記録するとともに、インターネット等ネットワーク（２）を介して販売用産生生体として公開される。尚、生体の在庫は種類、品種、日齢、血統ランク、飼育目的、産地国、飼育地及び価格限度等を指定して検索可能なシステムを備え、リアルタイムで更新された最新情報から選出できる。
2004097699.tif 000002
【特許請求の範囲】
【請求項１】
本発明は、インターネット等のネットワークを介してペット動物の品種改良・繁殖、買入れ及び販売を行う電子ペット牧場サーバーシステムであって、ペット動物の種別及び品種別の主要系統の血統、遺伝子情報並びに各品種の標準体高、標準体重、標準画像を遺伝情報データベースに記録・蓄積する手段と、繁殖種牡・種牝選定の際、信用性に乏しい血統書発行団体登録のペット動物を忌避する手段と、繁殖会員登録希望の申込みは、パーソナルコンピュータ端末（以下「端末」とのみ称する）画面に電子ペット牧場のホームページを開き、繁殖会員契約約款の承諾サインを経て繁殖会員申込書を表示の上、ペット動物の種類、品種、性別、年齢（生年月日）、血統、体形、毛色、体高、体重、健康（罹患歴も含む獣医師の健康診断書を添付）、性能等所定事項を記入した繁殖会員申込書を作成の上、血統書、動画等画像を添付して送信する手段と、繁殖用ペット動物審査料金ファイルフォルダーを設け、同フォルダーに入金ファイルおよび未入金ファイルを設け、審査・登録申込書受信と同時に所定の審査料金の入金の有無を照合する手段と、審査料未入金のときは審査料金未入金ファイルに未入金として記録・保留され、一定期間経過後再照合して、尚、未入金のときは、申込者にその旨の知らせが自動的に送信される手段と、審査料入金確認と同時に、自動的に、受信した血統書、動画等画像などの情報と、前記の種別および品種別の主要系統の血統、遺伝子情報および各品種の標準体高、標準体重、標準画像、規定毛色・長短等など遺伝情報データベースに記録・蓄積された情報とを照合、繁殖種牡または種牝としての適否を優秀な生体を産生可能な遺伝的資質を有し、繁殖能力の優れていることを規準に審査する手段と、その結果を申込者に送信する手段と、審査を通過した種牡または種牝を、繁殖用種牡・種牝として種牡データベースまたは種牝データベースに記録・登録する手段と、繁殖会員データベースに会員登録して、繁殖会員ＩＤおよびパスワードを記録するとともに、これを繁殖会員に送信して知らせる手段と、前記の遺伝子情報データベースと、種牡データベースまたは種牝データベースに記録された情報で判断不可能のときは、審査未決済ファイルに記録・表示される手段と、これに繁殖専門部員の実見に基づいた、実見審査報告書の報告事項を入力して前記審査を継続する手段と、審査結果不合格となったときは、その旨を送信して知らせる手段とを具備することを特徴とする電子ペット牧場サーバーシステム。
【請求項２】
繁殖会員飼育種牝の発情は、前記端末画面に電子ペット牧場のホームページを開き、ＩＤおよびパスワードを入力・ログイン（以下前記同様にログインとのみ称する）して選択すると、発情開始報告書が表示され、これに発情開始日、交配適期等を選択した同報告書を、前記ネットワークを介して送信する手段と、同報告は直接電子ペット牧場サーバー種牝データベースの発情中種牝ファイルに記録され、さらに遺伝情報データベース、並びに種牡データベースに記憶された両者の血統等資料を照合する手段と、それによって最適種牡を選択して、該情報を当該繁殖会員と選択された種牡飼育繁殖会員へ、前記ネットワークを通じてそれぞれ送信して知らせ、同時に同情報を種牝データベース及び種牡データベースに記録する手段と、種牡飼育繁殖会員及び種牝飼育繁殖会員が、それぞれ前記端末画面に前記同様にログインして交配報告書を選択・表示の上、これに交配事実を記載して、動画等画像を添付した同報告書を送信する手段と、自動的に種牝飼育繁殖会員の種牝データベースには交配相手種牡につき所定事項を、種牡飼育繁殖会員の種牡データベースには交配相手の種牝につき所定事項を、それぞれ記録する手段と、交配不実行時にあって、繁殖会員は前記端末画面に前記同様にログインして選択すると、交配不実行報告書が表示され、その事由等所定の記載事項を記入して報告書を送信する機能を備え、該受信データは種牝データベース及び種牡データベースに交配不実行の旨記録される手段と、交配済みの種牝にあって、繁殖会員は受胎確認後、前記端末画面に前記同様にログインして選択すると受胎報告書が表示され、これに所定事項を記入して同報告書を送信すると、種牝データベース受胎中ファイル、繁殖会員データベース、種牡データベースに記録される手段と、不受胎が確認されたときは、同様に不受胎報告書を選択・表示して、これを作成して送信すると、種牝データベース受胎中ファイル、繁殖会員データベース、種牡データベースに記録する手段と、受胎中の種牝の出産につき、繁殖会員は前記端末画面に前記同様にログインして選択すると、出産報告書が表示され、これに頭数及び一胎毎に１から始まる個体番号を付け、毛色、体重、性別、牡牝の数、合計数等所定事項を記載した報告書を作成の上、動画等画像を添付して送信する手段と、この受信情報に基づき、繁殖会員データベース、種牡データベース、種牝データベース・受胎中ファイル及び在庫生体データベースに記録される手段と、流産のときは前記同様に流産報告書を、死産のときは死産報告書をそれぞれ表示して、日時、頭数、性別、毛色、体重等所定事項を記載した報告書を作成し、前記ネットワークを介して送信する手段と、それぞれ種牡データベース、種牝データベース・受胎中ファイル、繁殖会員データベースに記録される手段と、上記出産報告書に基づく在庫生体データベースへの記録と同時に、種牝飼育繁殖会員への産生仔買取通知の送信手段と、これに基づく繁殖会員データベース及び種牝データベースに記録される手段と、前記端末画面に前記同様にログインの上、産生仔生育状況報告書を選択・表示して、これに固体番号、性別、毛色、体重、体高、肥満度、授乳量、動作、発声力、健康状態、性格について記載・作成して生体及び飼育環境の画像・動画を添付・送信する手段と、産生仔死亡時は上記同様に産生仔死亡報告書を選択・表示して個体番号、性別、体重、毛色、死亡原因を記載・作成して画像及び獣医師の死亡診断書を添付・送信する手段と、その両報告情報は繁殖会員データベース、種牡データベース、種牝データベース及び在庫データベースに記録される手段と、一定時期の産生仔生育状況報告書、検便報告書、駆虫報告書、ワクチン接種報告書、予防接種報告書、病気したときは治療報告書を作成・送信する手段と、これ等の報告情報は繁殖会員データベース、種牡データベース、種牝データベース及び在庫データベースに記録される手段と、これ等の報告が送信されないときは、自動的に未着の旨を知らせ、送信を促す手段とを具備することを特徴とする請求項１の電子ペット牧場システム。
【請求項３】
ペット動物の購入を希望する一般顧客は、前記端末画面上に電子ペット牧場のホームページを開き、画面に生体在庫を表示して一覧できる手段と、種類、品種、性別、毛色、日齢（生後経過日数）、血統ランク（展覧会、共進会、ショウ等を権威別に分けて、更に始祖３代中にそれぞれのチャンピオン入賞数を数えて数値化するもので、１００点満点として１００点がランク１、１０点以下をランク１０とした評価ランクに分けて表示する）飼育目的、産地国、飼育地、価格限度等を指定して、選択・表示できる機能を有し、選択特定された生体の画像、繁殖会員のコメント等の詳細を閲覧できる手段と、更に飼育環境・生体親仔の動画、血統内容、駆虫・ワクチン接種歴、罹病歴、成長記録等詳細情報が閲覧できる手段と、上記選択・表示された生体につき、飼育環境、飼育状況等繁殖会員のみが直接知り得る内容についての、更なる詳細情報を求める質問のＥメールでの照会は、「飼育・環境等の質問」をクリックすると、生体の固体番号から繁殖会員を特定する機能を有し、質問のＥメールは一旦電子ペット牧場サーバーに入り、自動的に繁殖会員へ転送され、その回答は電子ペット牧場サーバーを経由、電子ペット牧場を発信人として質問者へ送信される手段と、生体の予約ついて、一般顧客は電子ペット牧場のホームページを開き、生体予約申込書を表示して、予約するペット動物を特定、種類、品種、生体番号、性別、生年月日、毛色、血統ランク、飼育目的、産地国、飼育地、価格等を記載して同予約申込書を作成・送信する手段と、予約受付ファイルを受注データベースに設け、前記端末から送信された生体の予約情報を受注データベース予約受付ファイル、繁殖会員データベース、種牝データベース、在庫生体データベースに記録し、ネットワークを介して一般顧客（予約者）に予約確認通知を、繁殖会員に予約済通知を送信する手段と、未予約在庫生体はリアルタイムで更新される手段と、一般顧客は前記端末画面に電子ペット牧場のホームページを開き、生体注文書を表示して、注文するペット動物を特定、種類、品種、生体番号、予約番号、性別、生年月日、毛色、血統ランク、飼育目的、産地国、飼育地、金額、代金振込日及び銀行名等を記載して同注文書を作成・送信する手段と、同注文は全額前金制とし、生体受注データベース入金ファイルを設け、注文書受信と同時に入金の有無を照合する手段と、未入金のときは生体代金未入金ファイルに未入金として記録して保留され、一定期間経過後自動的に再照合して、なお未入金のときは、申込者にその旨の知らせが送信される手段と、該入金確認と同時に、同ファイルに記録され、前記ネットワークを介して、注文者に注文請書を、繁殖会員に受注済通知書兼生体発送依頼書を送信する手段と、該受注情報は直ちに繁殖会員データベース，種牝データベース、在庫データベース及び受注データベースに記録される手段と、受注可能な在庫生体はリアルタイムで更新される手段と、受注生体発送について、繁殖会員は発送後直ちに、前記端末画面に前記同様にログインの上、生体発送通知書を表示させ、これを選択して開き、種類、品種、生体番号、性別、毛色，金額、発送日時、発送方法、到着場所及び到着予定日時等を記載した同通知書を作成して、注文者および電子ペット牧場へ、それぞれ前記ネットワークを通じて送信する手段と、これを受信した種牝飼育繁殖会員の生体発送通知に基づき、在庫生体データベース、繁殖会員データベース、種牝データベース、種牡データベース、受注データベース、アフターサービスデータベース及び一般会員データベースへの発送記録が行われる手段と、納品先顧客（以下一般会員）のＩＤ・パスワードの発行・記録と、ＩＤ・パスワードを一般会員へ送信して知らせる手段と、買い入れた産生仔生体の売買価格は、予め取り決めた基本契約に基づき販売実現価格の一定率とし、また交配料は原則として産生仔生体の販売実現単価相当金額、交配料の負担は種牝飼育繁殖会員とし、支払いは上記種牝飼育繁殖会員の生体発送通知に基づき、自動的にそれぞれの計算が行われ、確定した産生仔生体代金及び交配料金は、予め契約されたネット銀行へ送金依頼が送信される手段と、同時に種牝飼育繁殖会員及び種牡飼育繁殖会員へ送金通知が送信される手段とを有することを特徴とする請求項１、２及び３の電子ペット牧場サーバーシステム。
【請求項４】
前記繁殖会員からの、生体発送通知受信情報を記録したアフターサービスデータベースは、同情報に基づき自動的に別途予め契約した損害保険会社へ、当該生体の損害賠償等保険の加入申込通知を送信する手段と、一般会員へ該損害賠償保険加入申込済通知の送信手段と、これを受信した当該損害保険会社から送信された保険受託通知の受信によって、直ちにこれを一般会員へ、自動的に送信する手段と、一般会員購入生体が生命保証期間中に死亡したときは、前記端末画面に前記同様にログインして、死亡報告書を選択、種別、品種、生体番号、性別、毛色、死亡日時、死亡原因等所定事項を記載した同報告書作成して、獣医師の死亡診断書及び死亡生体の画像を添付・送信する手段と、その受信に基づき、自動的に生命保証条件に適合するか否かの判定を行う審査手段と、保証条件を満たしていないときはその旨を一般会員に送信して知らせ、同条件を満たしているときは、代生体発送決定通知を送信する手段と、同時に受注データベースに代生体である旨の記録を行って、受注扱い（以下の手続きは前記一般受注に準じる）とする手続き手段と、前記生体には一定期間のペット共済加入権付きとし、前記繁殖会員からの生体発送通知受信情報を記録したアフターサービスデータベースは、同情報に基づき、別途予め契約したペット共済事業者にペット共済加入申込書を、一般会員にペット共済加入手続き完了通知を、それぞれ送信する手段と、これを受信した当該共済事業者から送信された共済受託通知の受信によって、直ちにこれを一般会員へ、送信する手段と、繁殖会員及び一般会員共通利用可能な、アフターサービスデータベースに予め交配、出産、産生仔の育成、罹患と治療及び栄養と餌等についての質問Ｅメールについての細部に亘る繁殖専門技術員、飼育専門技術員、飼料学専門技術員及び獣医師の回答を記録して、送信指導を瞬時に受けることの出来る手段と、蓄積情報にない新しい質問のＥメールは、各地に展開する技術専門部員へ自動的に転送され、回答のＥメールが送信されるか、または実地指導（一般会員を除く）が行われる手段と、新規質問及び回答は自動的に追加記録、蓄積される手段とを有することを特徴とする請求項１、２、３、４、の電子ペット牧場サーバーシステム。
【請求項５】
在庫産生生体の受注確定時点で、繁殖会員への受注確定・発送依頼通知書送信と同時に、繁殖会員から生体を買取ることを特徴とする請求項１、２、３、４、の電子ペット牧場サーバーシステム。
【請求項６】
出産報告書受信の翌日以降、在庫産生生体の受注確定する前までの間に、繁殖会員から生体を買取ることを特徴とする請求項１、２、３、４、の電子ペット牧場サーバーシステム。
【発明の詳細な説明】
【技術分野】    本発明は、ペット動物の繁殖・品種改良、販売並びにアフターサービスに関するものであって、特にペット動物のうち犬・猫の多くを占める一般家庭における繁殖を、前記ネットワークを介して電子ペット牧場サーバーシステムが支援、品種改良を促進して、より優秀な生体を産生し、これにアフターサービスを附して販売するシステムに関する。
技術背景
従来、ペット動物の繁殖は個人の家庭または専業者で行われ、中でも犬猫にあっては、その殆どを愛好家である個人飼育者が行ってきたものであり、改良は、一部のプロまたはセミプロの繁殖者の手によって行われ、規模は限られていた。
従って、ペット動物の中でも犬猫は、直接繁殖者自身の販売もあったが、通常は、販売業者がその多くを一般家庭から仕入れて、それも主として店頭で販売されてきた。もっとも最近はインターネット販売やインターネットオークションでの販売も行われつつある。
また、インターネットによる斡旋、仲介、情報提供、紹介等も行われているが、何れも主宰者は販売主体者とはなっていないので、販売した生体についての瑕疵があっても責任は問われない。そのため、劣悪な品質の固体も混在し、安心して求めることができない、というのが実情であった。
ペット動物専門のオークション場もあるが、これは業者であって、かつ契約のある者しか会場に入れないシステムとなっており、また、出品も登録のある者に限られているから、ここでも一般の個人の直接の出品はない。一旦業者が、買い取ってきたものを出品する中卸的なものだから、ここでも繁殖者の満足できる値段では売れない。
【発明の開示】
１．発明が解決しようとする課題
従来の販売方法の主流である店頭販売では、在庫期間中のストレス、狭い檻の中という悪い飼育環境、衛生上の問題等など健康を阻害される要因があまりにも多すぎる。そのため店頭飼育中の罹患、それに伴う治療費の負担はもとより、死亡することも決して珍しくないという問題点があった。
従って、一般家庭に買われていってからの罹患率はもとより、死亡率も必然的に高くなる。このことは最早常識といってよく、それを知る人は決して購入しなかった。
そのため、販売業者は高い粗利益率を必要とするから、業者の立場としては原価率をなるべく低く抑えるしかなく、何割の粗利益というのではなく、何倍という価格設定がなされているのが普通であって、一般繁殖者はその分買い叩かれる結果とならざるを得なかった。
可愛がって育てた産生仔を店頭販売の業者に売るのは、価格の上で不利なばかりか、店の檻の中に晒される上、病気に罹ったり死亡したりすることを思うと、育てた者としては胸の痛む精神的な側面もあった。
つまるところ、何れの場合も一般の繁殖者にとっては不利な販売を強いられる結果となっていた。
品種の改良のためには、遺伝学的考察に基づいて種牡を選ぶ必要があるのに、実際にはその多くが、それとは程遠い場当たり的な交配・繁殖が行われており、当然のことながら劣悪な固体の産生例も決して少なくない状態で、畸形の出現さえ見られた。
血統書も団体によっては、必ずしも信用出来ないから、それだけでは生体の品質を計る目安とはなり得ないのに、それを知らずに血統書付きというだけで買うし言う人もいた。
特に犬猫の繁殖は、多くが、一般の家庭の飼育によって行われていたため、理想的な計画繁殖を行うのに必要な、十分の情報も、時間も個人にはないから、行き当たりばったりの繁殖が行われる場合も多く、品質の低下は避けられなかった。
繁殖する者にとって、交配に当たり種牡の選定に腐心することも、買い手を探す苦労も、売った後の飼育上の相談を受ける煩わしさもないシステムがあれば、安心して良質のペット動物の繁殖に専念できるのに、それはなかった。
また、買う立場からするとインターネット販売は、個人販売の場合、ホームページを辿っても１年も前のままであったり、売り切れたまま放置してあったり、時間をかけて折角目的の生体を探し出しても、売り手の信用、生体の品質についての不安があり、最後の決心がつかなくなることも多く、個人販売に見えても実際には、一番避けたいと思っていた店頭陳列の生体であったりすることも少なくなかった。
つまり、買いたいペット動物をインターネットで探すには、多くの手間がかかるばかりか、メーカー名や、商品の型番或いは年式等の特定できる工業製品とは異なり、一般的には品質と、売り手の信用度に不安があり、そのことはごく一部の有名繁殖業者を除けば、成約率の極めて低いことを見てもわかる状態であった。
インターネットオークションも同様の理由により、落札率は低水準（例：ピッターズオークション２００３年３月１０日時点の出品犬３３４頭中落札８０頭。２３．９％）であり、また出品者のなかには、罹患率や死亡率の極めて高いと言われている、店頭に展示中の業者の生体が含まれている場合も多々あった。
従って、ペット動物を新規に求める者にとっては、健康で、品質の良いものを、適正価額で、しかもアフターサービスの受けられるシステムで購入できるようすることが望まれる。
２．課題を解決するための手段
本発明は前記課題を解決し、目的を達成するために、インターネット等ネットワークを介してペット動物の品種改良・繁殖、買入れ及び販売を行う電子ペット牧場サーバーシステムであって、ペット動物の種別および品種別の主要系統の血統、遺伝子情報並びに各品種の標準体高、標準体重、標準画像を遺伝子情報データベースに記録・蓄積する手段と、繁殖種牡・種牝選定の際、信用性に乏しい血統書発行団体登録のペット動物を忌避する手段とを具備することを特徴とする。
本発明の電子ペット牧場サーバーシステムにおいて、商品であるところの販売用生体の繁殖・生産は、理想的には一般家庭において家族の一員として愛育され、それに専門家の適切なアドバイスが加わることが要求されるため、アフターサービスデータベースに予め交配、出産、産生仔の育成、罹患と治療及び栄養と餌等についての質問Ｅメールについての細部に亘る繁殖専門技術員、飼育専門技術員、飼料学専門技術員及び獣医師の回答を記録して、送信指導を瞬時に受けることの出来る手段と、蓄積されていない新しい質問のＥメールは各地に展開する技術専門技術員へ自動的に転送され、回答のＥメールが送信されるか、または実地指導（実地指導は繁殖会員のみとしその他は一般会員も利用可）が行われる手段と、新規質問及び回答は自動的に追加記録、蓄積される手段とを具備することを特徴とする。
繁殖会員の募集は前記ネットワークを介してのみ行うものとし、繁殖会員登録希望の申込みは、パーソナルコンピュータ端末（以下「端末」とのみ称する）画面に電子ペット牧場のホームページを開き、繁殖会員契約約款の承諾サインを経て繁殖会員申込書を表示の上、ペット動物の種類、品種、性別、年齢（生年月日）、血統、体形、毛色、体高、体重、健康状態（罹患歴も含む獣医師の健康診断書を添付）、性能等所定事項を記入した繁殖会員申込書を作成の上、血統書、動画等画像を添付して送信する手段とを具備することを特徴とする。
繁殖用ペット動物審査料金ファイルフォルダーを設け、同フォルダーに入金ファイルおよび未入金ファイルを設け、審査・登録申込書受信と同時に所定の審査料金の入金の有無を照合する手段と、審査料未入金のときは審査料金未入金ファイルに未入金として記録・保留され、一定期間経過後再照合して、尚、未入金のときは、申込者にその旨の知らせが自動的に送信される手段とを具備することを特徴とする。
未入金ファイルに未入金として記録・保留された同申込みについては、審査料入金確認と同時に、自動的に、受信した血統書、動画等画像などの情報と、前記の種別および品種別の主要系統の血統、遺伝子情報および各品種の標準体高、標準体重、標準画像、規定毛色・長短等など遺伝情報データベースに記録・蓄積された情報とを照合、繁殖種牡または種牝としての適否を審査する手段と、その結果を申込者に送信する手段と、審査を通過した種牡または種牝を、繁殖用種牡・種牝として種牡データベースまたは種牝データベースに記録・登録する手段と、繁殖会員データベースに会員登録して、繁殖会員ＩＤおよびパスワードを記録するとともに、これを繁殖会員に送信して知らせる手段とを具備することを特徴とする。
高い品質の生体産生を目標に改良・繁殖するために、前記の遺伝子情報データベースと、種牡データベースまたは種牝データベースとに記録された情報で判断不可能のときは、審査未決済ファイルに記録・表示される手段と、これに繁殖専門部員の実見に基づいた、実見審査報告書の報告事項を入力して前記審査を継続する手段と、審査結果不合格となったときは、その旨を送信して知らせる手段とを具備することを特徴とする。
本発明は高品質の生体産生の鍵を握る種牡の選定を遺伝学的にかつコンピュータを駆使して計画的に行うようになっており、繁殖会員飼育種牝の発情は、前記端末画面に前記同様にログイン選択すると、発情開始報告書が表示され、これに発情開始日、交配適期等を選択した同報告書を、前記ネットワークを介して送信する手段と、同報告は直接電子ペット牧場サーバー種牝データベースの発情中種牝ファイルに記録され、さらに遺伝情報データベース、並びに種牡データベースに記憶された両者の血統等資料を照合する手段と、それによって最適種牡を選択して、該情報を当該種牝飼育繁殖会員と選択された種牡飼育繁殖会員へ、前記ネットワークを通じてそれぞれ送信して知らせ、同時に同情報を種牝データベース及び種牡データベースに記録する手段とを具備することを特徴とする。
種牡飼育繁殖会員及び種牝飼育繁殖会員は協議の上、交配を実行して種牡飼育繁殖会員及び種牝飼育繁殖会員が、それぞれ前記端末画面上で前記同様にログインして交配報告書を選択・表示の上、これに交配事実を記載して、動画等画像を添付した同報告書を送信する手段と、自動的に種牝飼育繁殖会員の種牝データベースには交配相手種牡につき所定事項を、種牡飼育繁殖会員の種牡データベースには交配相手の種牝につき所定事項を、それぞれ記録する手段とを具備することを特徴とする。
何らかの事情で交配不実行時は、繁殖会員は前記端末画面上で前記同様にログインして選択すると、交配不実行報告書が表示され、その事由等所定の記載事項を記入して報告書を送信する機能を備え、該受信データは種牝データベース及び種牡データベースに交配不実行の旨記録される手段とを具備することを特徴とする。
既に交配済みの種牝にあって、繁殖会員は受胎確認後、前記端末画面上で前記同様にログインして選択すると受胎報告書が表示され、これに所定事項を記入して同報告書を送信すると、種牝データベース受胎中ファイル、繁殖会員データベース、種牡データベースに記録される手段と、不受胎が確認されたときは、同様に不受胎報告書を選択・表示して、これを作成して送信すると、種牝データベース受胎中ファイル、繁殖会員データベース、種牡データベースに記録する手段とを具備することを特徴とする。
受胎した種牝にあって、先ず、受胎中の種牝の出産につき、繁殖会員は前記端末画面に前記同様にログインして選択すると、出産報告書が表示され、これに頭数及び一胎毎に１から始まる個体番号を付け、毛色、体重、性別、牡牝の数、合計数等所定事項を記載した報告書を作成の上、動画等画像を添付して送信する手段と、この受信情報に基づき、繁殖会員データベース、種牡データベース、種牝データベース・受胎中ファイル及び在庫生体データベースに記録される手段と、流産のときは前記同様に流産報告書を、死産のときは死産報告書をそれぞれ表示して日時、頭数、性別、毛色、体重等所定事項を記載した報告書を作成し、前記ネットワークを介して送信する手段と、それぞれ種牡データベース、種牝データベース・受胎中ファイル、繁殖会員データベースに記録される手段とを具備することを特徴とする。
ペット動物種牝の出産した産生仔生体の買取りは、種牝飼育繁殖会員から送信されてきた出産報告書に基づいてここで行われ、上記出産報告書に基づく在庫生体データベースへの記録と同時に、種牝飼育繁殖会員への産生仔買取通知の送信手段と、これに基づく繁殖会員データベース及び種牝データベースに記録される手段と、取引価格は成長振りによって後日、一般顧客への販売価格が決定した時点で、該価格の一定率で決定される（ここで価格決定することもある）が、買取通知に基づき繁殖会員データベース及び種牝データベースに記録される手段を具備することを特徴とする。
出産したペット動物の出生仔生体の成長期にあって、出生仔生体の一定時期の定期報告をするようになっており、前記端末画面に前記同様にログインの上、産生仔生育状況報告書を選択・表示して、これに固体番号、性別、毛色、体重、体高、肥満度、授乳量、動作、発声力、健康状態、性格について記載・作成して生体及び飼育環境の画像・動画を添付・送信する手段と、産生仔死亡時は上記同様に産生仔死亡報告書を選択・表示して個体番号、性別、体重、毛色、死亡原因を記載・作成して画像及び獣医師の死亡診断書を添付・送信する手段と、その両報告情報は繁殖会員データベース、種牡データベース、種牝データベース及び在庫データベースに記録される手段とを具備することを特徴とする。
更に、一定時期の産生仔生育状況報告書、検便報告書、駆虫報告書、ワクチン接種報告書、病気したときは治療報告書（獣医師の診断書を添付する）を作成・送信する手段と、これ等の報告情報は繁殖会員データベース、種牡データベース、種牝データベース及び在庫データベースに記録される手段と、これ等の報告が送信されないときは、自動的に未着の旨を知らせ、送信を促す手段とを具備することを特徴とする。
国の内外を問わず、ペット動物の購入を希望する一般顧客は、前記端末画面上に電子ペット牧場のホームページを開き、画面に生体在庫を表示して一覧できる手段と、種類、品種、性別、毛色、日齢（生後経過日数）、血統ランク（展覧会、共進会、ショウ等を権威別に分けて、更に始祖３代中にそれぞれのチャンピオン入賞数を数えて数値化するもので、１００点満点として１００点がランク１、１０点以下をランク１０とした評価ランクに分けて表示する）飼育目的（例えば、愛玩用、、繁殖用、ショウ用、猟犬、番犬等）、産地国、飼育地、価格限度等を指定して、選択・表示できる機能を有し、選択特定された生体の画像、繁殖会員のコメント等の詳細を閲覧できる手段と、更に飼育環境・生体親仔の動画、血統内容、駆虫・ワクチン接種歴、予防接種、罹病歴、成長記録等詳細情報が閲覧できる手段とを具備することを特徴とする。
上記情報だけでは未だ満足できない、どういう環境で、どんな家庭で、またどのような飼われ方をしていたか、餌は、等など、一般顧客に対し上記選択・表示された生体につき、飼育環境、飼育状況等繁殖会員のみが直接知り得る内容についての、更なる詳細情報を求める質問のＥメールでの照会は、「飼育・環境等の質問」をクリックすると、生体の固体番号から繁殖会員を特定する機能を有し、質問のＥメールは一旦電子ペット牧場サーバーに入り、自動的に繁殖会員へ転送され、その回答は電子ペット牧場サーバーを経由、電子ペット牧場を発信人として質問者へ送信される手段とを具備することを特徴とする。
予約受付開始はホームページ上で生体個々に公表するものとし、生体の予約について、一般顧客は電子ペット牧場のホームページを開き、生体予約申込書を表示して、予約するペット動物を特定、種類、品種、生体番号、性別、生年月日、毛色、血統ランク、飼育目的、産地国、飼育地、価格等を記載して同予約申込書を作成・送信する手段と、予約受付ファイルを受注データベースに設け、前記端末から送信された生体の予約情報を受注データベース予約受付ファイル、繁殖会員データベース、種牝データベース、在庫生体データベースに記録し、ネットワークを介して、一般顧客（予約者）に予約確認通知を、繁殖会員に予約済通知を送信する手段と、未予約在庫生体はリアルタイムで更新される手段とを具備することを特徴とする。
在庫生体の注文は、予約を経ての場合もあるが、予約の付いていない生体はいきなりの注文も可能であって、正規注文の受付開始はホームページ上で生体個々に公表するものとし、一般顧客は前記端末画面に電子ペット牧場のホームページを開き、生体注文書を表示して、注文するペット動物を特定、種類、品種、生体番号、予約番号、性別、生年月日、毛色、血統ランク（展覧会、共進会、ショウ等を権威別に分けて、更に始祖３代中にそれぞれのチャンピオン入賞数を数えて数値化するもので、１００点満点として１００点がランク１、１０点以下をランク１０とした評価ランクに分けて表示する）、飼育目的、産地国、飼育地、金額、代金振込日及び銀行名等を記載して同注文書を作成・送信する手段と、同注文は全額前金制とし、生体受注データベース入金ファイルを設け、注文書受信と同時に入金の有無を照合する手段と、未入金のときは生体代金未入金ファイルに未入金として記録して保留され、一定期間経過後自動的に再照合して、なお未入金のときは、申込者にその旨の知らせが送信される手段と、該入金確認と同時に、同ファイルに記録され、前記ネットワークを介して、注文者に注文請書を、繁殖会員に受注済通知書兼生体発送依頼書を送信する手段と該受注情報は直ちに繁殖会員データベース，種牝データベース、在庫データベース及び受注データベースに記録される手段と、受注可能な在庫生体はリアルタイムで更新される手段と、を具備することを特徴とする。
受注済みの生体発送は種牝飼育繁殖会員が、電子ペット牧場を発送人として直接行うものとし、これを発送した繁殖会員は発送後直ちに、前記端末画面に前記同様にログインの上、生体発送通知書を表示させ、これを選択して開き、種類、品種、生体番号、性別、毛色，金額、発送日時、発送方法、到着場所及び到着予定日時等を記載した同通知書を作成して、注文者および電子ペット牧場へ、それぞれ前記ネットワークを通じて送信する手段と、これを受信した種牝飼育繁殖会員の生体発送通知に基づき、在庫生体データベース、繁殖会員データベース、種牝データベース、種牡データベース、受注データベース、アフターサービスデータベース及び一般会員データベースへの発送記録が行われる手段と、納品先顧客（以下一般会員）のＩＤ・パスワードの発行・記録と、ＩＤ・パスワードを一般会員へ送信して知らせる手段とを具備することを特徴とする。
尚、買い入れた産生仔生体の売買価格は、予め取り決めた基本契約に基づき販売実現価格の一定率とし、また交配料は原則として産生仔生体の販売実現単価相当金額、負担は種牝飼育繁殖会員とし、支払いは上記種牝飼育繁殖会員の生体発送通知に基づき、自動的にそれぞれの計算が行われ、確定した産生仔生体代金及び交配料金は、予め契約されたネット銀行へ送金依頼が送信される手段と、同時に種牝飼育繁殖会員及び種牡飼育繁殖会員へ送金通知が送信される手段とを具備することを特徴とする。
本発明のもうひとつの柱の販売生体のアフターサービスについて、前記繁殖会員からの、生体発送通知受信情報を記録したアフターサービスデータベースは、同情報に基づき自動的に別途予め契約した損害保険会社へ、当該生体の損害賠償等保険の加入申込通知を送信する手段と、一般会員へ該損害賠償保険加入申込済通知の送信手段と、これを受信した当該損害保険会社から送信された保険受託通知の受信によって、直ちにこれを一般会員へ、自動的に送信する手段とを具備することを特徴とする。
アフターサービスの一角、生命保証について、一般会員購入生体が生命保証期間中に死亡したときは、前記端末画面に前記同様にログインして、死亡報告書を選択、種別、品種、生体番号、性別、毛色、死亡日時、死亡原因等所定事項を記載した同報告書作成して、獣医師の死亡診断書及び死亡生体の画像を添付・送信する手段と、その受信に基づき、自動的に生命保証条件に適合するか否かの判定を行う審査手段と、保証条件を満たしていないときはその旨を一般会員に送信して知らせ、同条件を満たしているときは、代生体発送決定通知を送信する手段と、同時に受注データベースに代生体である旨の記録を行って、受注扱い（以下の手続きは、前記一般受注に準じるものとする）とする手続き行う手段とを具備することを特徴とする。
もうひとつのアフターサービス、ペットの健康保険と言われるペット共済について、前記生体には一定期間のペット共済加入権付きとし、前記繁殖会員からの生体発送通知受信情報を記録したアフターサービスデータベースは、同情報に基づき、別途予め契約したペット共済事業者にペット共済加入申込書を、一般会員にペット共済加入手続き完了通知を、それぞれ送信する手段と、これを受信した当該共済事業者から送信された共済受託通知の受信によって、直ちにこれを一般会員へ、送信する手段とを具備することを特徴とする。
繁殖会員からの産生仔生体買入れを、異なる時期に行うことも可能で、在庫産生生体の受注確定時点で、繁殖会員への受注確定・発送依頼通知書送信と同時に、繁殖会員から生体を買取ることを特徴とする。
また、前記の時期とは全く異なる時期、つまり出産報告書受信の翌日以降、在庫産生生体の受注確定する前までの間に、種牝飼育繁殖会員から生体を買取ることを特徴とする。
３．発明の効果
以上のようなシステム構成になっているので、ペット動物を繁殖して提供する側も、購入する側も今までにはなかった便利さと有利さがあり、次のような効果を奏する。
種牝飼育繁殖会員になると、種牝が発情したときの種牡を探す苦労も、時間も全く必要がなく、しかも豊富な種牡群と、十分な血統等情報の宝庫から最適種牡を的確に選択可能となる。出産した産生仔の販売面でも、「誰に売ろうか。どうやって売ろうか」と言った苦労も解消されることは元より言うまでもなく、直接売場合は躾、餌、病気、怪我等など、後々の相談を受ける煩わしさも全くない。だからと言って業者に売れば小売値の何分の一という安さとなるから遥かに有利となる。
在庫生体は予約も、本受注もリアルタイムで更新されるようになっているから従来のように、多くのホームページをまるで宝探しの如くネットサーフィンする必要も、折角探し当てても古いままの情報であったり、という事もなくなる。本発明の電子ペット牧場サーバーシステムは、世界の豊富な種類、品種、数多くの種牡・種牝の繁殖群によって産生されるから、在庫生体探しも、比較的容易に、無駄がなく目的が叶えられる。しかも２４時間何時でもアクセス可能なので都合の良い時間に探せば良い。
販売生体は家族の一員として飼われている種牝の子どもである。業者の店頭で檻に入れられているのとは雲泥の違いのある飼育環境。購入する側から見ると最良の健康状態にある生体を入手できることになり、新しい家庭に迎えられてからの罹患率もはるかに低くなる。獣医師の治療費も決して安くはない。その後の経済的負担も遥かに軽くなる。しかもこれにアフターサービスを付けて販売するから購入者にとっては更に安心である。
本発明の電子ペット牧場サーバーシステムは、該事業主宰者としても、直接大規模の原始牧場を持つ様なリスク負担はない。経費も遥かに安くなる。それよりも、原始牧場では本発明の目指すペット動物産生規模まで広げることは、生き物である観点から不可能といってよい。従って、以上のような諸点から、該事業主宰者としては、従来のような粗利益の必要はないから、繁殖する側にとっても、また買う側とっても適正価格が実現できる。
【図面の簡単な説明】    第１図は、本発明にかかる電子ペット牧場サーバーシステムの接続関係を示す概念説明図である。
第２図は、繁殖会員申込みから飼育ペット動物の種牡種牝の資格を審査し、結果を送信して知らせるまでの実施例のフローチャートである
第３図は、繁殖会員飼育種牝の発情に伴う種牡の選定過程を示す実施例のフローチャートである。
第４図は、種牡の選定を終えた種牝の交配実行、不実行関する実施例のフローチャートである。
第５図は、交配を終えた種牝の受胎、不受胎、流産にかかる実施例のフローチャートである。
第６図は、出産した産生仔生体の繁殖会員からの買取りを販売決定時に行う場合の実施例のフローチャートである。
第７図は、受胎した種牝の出産及び死産、並びに産生仔生体を買取る実施例のフローチャートである。
第８図は、産生仔の健康管理及び生育状況の情報の収集記録、産生仔死亡に関する実施例のフローチャートである。
第９図は、一般顧客の在庫生体検索手段と、詳細情報閲覧を示す実施例のフローチャートである。
第１０図は、飼育環境、飼育方法等繁殖会員しか知りえない内容の質問手段についての実施例のフローチャートである。
第１１図は、一般顧客からの産生仔生体の予約申し込みに関する実施例のフローチャートである。
第１２図は、一般顧客の産生生体の注文に関する実施例のフローチャートである。
第１３図は、受注受胎在庫生体の発送並びに買取った産生仔生体代金及び交配料の支払い手順についての実施例のフローチャートである。
第１４図は、アフターサービスに関する実施例のフローチャートである。
【符号の説明】
１電子ペット牧場サーバー
２インターネット等ネットワーク
３遺伝情報データベース
４繁殖会員データベース
５種牡データベース  ５ａ種牡データベース交配料金計算部
６種牝データベース  ６ａ種牝発情中ファイル  ６ｂ受胎中ファイル
６ｃ情報データベース生体代金計算部
７在庫生体データベース  ７ａ在庫生体ファイル
８一般顧客データベース  ８ａ一般顧客ファイル
９受注データベース  ９ａ予約受付ファイル  ９ｂ生体代金フォルダー
９ｃ生体代金入金ファイル  ９ｄ生体代金未入金ファイ
１０アフターサービスデータベース  １０ａ生命保証条件合否審査
１０ｂ生命保証不適通知・送信  １０ｃ代生体提供決定通知・送信
１１血統書・動画等画像添付
１２繁殖会員  １２ａ種牡飼育繁殖会員  １２ｂ種牝飼育繁殖会員
１２ｃ繁殖会員申込書作成送信  １２ｄ繁殖会員申込書
１３繁殖会員端末  １３ａ種牡飼育繁殖会員端末  １３ｂ種牝飼育繁殖会員端末
１４一般会員  １４ａ一般顧客
１５一般会員端末  １５ａ一般顧客端末
１６種牡  １６ａ種牝  １６ｂ種類  １６ｃ品種  １６ｄ性別  １６ｅ年齢（生年月日）
１６ｆ血統（内容）  １６ｇ忌避（避けるべき統登録団体）  １６ｈ画像  １６ｉ同体形
１６ｊ毛色  １６ｋ体高  １６ｌ体重  １６ｍ健康状態  １６ｎ性能
１７審査料金フォルダー  １７ａ同入金済ファイル  １７ｂ同未入金ファイル
１８審査未決済ファイル
１９実見審査報告
２０審査合格  ２０ａ審査不合格
２１「繁殖会員データベース・種牝データベース・種牡データベース記録・登録」
２２ＩＤ・パスワード
２３送信  ２３ａ受信
２４電子ペット牧場ホームページ
２５ＩＤ・パスワード入力
２６発情開始報告書  ２６ａ発情報告書作成送信
２７交配済報告書
２８交配不実行報告書
２９受胎報告書  ２９ａ受胎報告書作成・送信
３０不受胎報告書  ３０ａ不受胎報告書作成・送信
３１流産報告書  ３１ａ流産報告書作成・送信
３２産生仔買取通知書
３３生体受注済通知兼発送依頼・送信
３４出産報告書  ３４ａ出産報告書を作成
３５死産報告書  ３５ａ死産報告書を作成
３６動画等画像  ３６ａ画像
３７産生仔死亡報告書  ３７ａ産生仔死亡報告書を作成
３７ｂ獣医師診断書添付
３８産生仔生育状況報告書  ３８ａ産生仔生育状況報告書を作成
３８ｂ生育中諸報告書
３９報告書未送信（未着）送信依頼  ３９ａ要送信報告書
４０在庫生体検索
４１在庫生体選択結果
４２在庫生体詳細（更に詳細閲覧検索ボタン表示）
４３飼育環境等の質問
４４Ｅメール送信
４５繁殖会員の回答
４６生体予約申込書  ４６ａ生体予約申込書を作成
４６ｂ生体予約申込書受信  ４６ｃ生体予約確認通知・送信
４６ｄ生体予約済通知・送信
４７生体注文書  ４７ａ生体注文書を作成
４８生体受注済通知書兼生体発送依頼書送信
４９生体注文請書
５０生体発送通知書  ５０ａ生体発送通知書を作成
５０ｂ生体発送通知書（注文者宛）
５０ｃ生体発送通知書送信（電子ペット牧場）宛
５１交配料金振込み依頼  ５１ａ交配料送金通知
５２生体代金振込依頼  ５２ａ生体代金送金通知
５３ネット銀行
５４（共済）損保申込済通知を送信
５５共済加入申込書・送信
５６共済事業者加入申込書受信  ５６ａ会員資格証送信
５６ｂ資格証受信（共済の）
５７損害保険申込書  ５７ａ受信（損害保険会社）
５７ｂ損害保険証書  ５７ｃ受信（損害保険証書）
５８購入生体の死亡  ５８ａ生体死亡報告書  ５８ｂ生体死亡通知書作成
【発明を実施するための最良の形態】    本発明の実施形態について実施例に基づき図面を参照して説明する。
第１図は、本発明の電子ペット牧場サーバーシステムの接続関係を示す概念図である。
第１図に示された実施例では、ペット動物の種類別、品種別の、主要系統の遺伝子情報が蓄積された遺伝情報データベース３は、種牡１６、種牝１６ａの審査・選択を始め種牝発情時の種牡選択にも係わってゆき、優秀な産生仔を得る手段となる。
第２図に示す実施例は、電子ペット牧場サーバーシステムの生産基礎となる種牡１６、種牝１６ａを採用する審査の流れを示すもので、遺伝情報データベースには便宜的に該審査を行うための審査基準情報も備えており、種類１６ｂ、品種１６ｃ、性別１６ｄ年齢１６ｅ、忌避（繁殖・改良上で避けたい血統登録団体の登録種牡・種牝を除外する）１６ｇは機械的選択である。体高１６ｋ、体重１６ｌは品種それぞれのスタンダードによるものとし、体形１６ｉには体形的特質、健康１６ｍは現在の健康状態のみならず、過去の重大な罹患歴も含み、性能１６ｎは性格も包含し、毛色１６ｊ、血統１６ｆとともに蓄積された遺伝子情報と照合して、より優秀で、より健康な産生仔を得る目的で審査されるようになっている。
前記審査には審査料を要するものとし、審査料入金は審査料フォルダー１７の入金済ファイル１７ａに、未入金のときは未入金ファイル１７ｂに記録・保留され、一定期間経過後再照合して尚未入金のときは、申込者にその旨の知らせが自動的に送信され、入金確認によって審査は進行する。審査の結果申し込みのあった種牡、または種牝の血統等資料及び遺伝情報データベース３の情報範囲内で判断不可能のときは、審査未決ファイルに記録されるとともに、電子ペット牧場サーバー１の画面１ａに表示され、一覧できるようになっており、この場合は繁殖専門部員の実見報告１９が入力され、審査は継続される。
前記審査結果不合格となったときは、その旨前記ネットワーク２を介して繁殖会員申込者１２ｄに送信・通知され、合格のときは「繁殖会員データベース４、種牝データベース６または情種牡データベース５」２１に記録・登録されるとともに、ＩＤ及びパスワード２２を発行・登録して合格通知とともに繁殖会員申込者１２ｄに送信２３される。
第３図に示す実施例は、ペット動物種牝の発情から種牡決定通知に至るまでの過程を示すものである。種牝繁殖会員１２ｂが飼育する種牝１６ａの発情開始により、前記端末１３ｂから電子ペット牧場ホームページを開き、前記同様にログインのうえ、発情開始報告書２６を表示、次いで発情開始日及び交配適期を記載した発情報告書を作成送信２６ａする。この受信２３ｂ情報は発情中ファイル６ａに記録され、種牝データベース６、遺伝情報データベース３６及び種牡データベース５の血統情報等と照合して種牡１６を選択する。その結果は種牡飼育繁殖会員１２ａ及び種牝飼育会員１２ｂへ送信２３して知らせるようになっている。
第４図の実施例は、前記第３図に示す過程で選定された種牡１６との交配を済ませた場合と、何等かの事情で不実行に終わった場合を示したものである。先ず交配成功の場合は種牡飼育会員１２ａと種牝飼育会員１６ｂは、それぞれ前記同様にログインして交配済報告書２７を表示してこれを作成２７ｂ、送信２３する。この受信情報は、種牝データベース６及び種牡データベース５に記録される。
交配不実行の場合も同様に、交配不実行報告書２８を作成して送信２３され、この受信情報は、種牡データベース６および種牝データベース５に記録される。
前記交配の結果については、実施例第５図に示すとおりである。先ず受胎時は、前記同様にログインして受胎報告書２９を表示して、受胎報告書を作成・送信２９ａする。該受信情報は繁殖会員データベース４、種牡データベース５及び種牝データベース・受胎中ファイル６ｂに記録される。
不受胎の場合も前記同様にログインの上不受胎報告書３０を表示して、不受胎報告書を作成・送信３０ａする。流産の場合も前記同様流産報告書３１を表示して、流産報告書を作成・送信３１ａする。この受信情報は何れも繁殖会員データベース４、種牡データベース５及び種牝データベース・受胎中ファイル６ｂに記録される。
前記受胎が確認されたペット動物種牝の出産については、第７図の実施例に示すとおり、前記同様にログインの上出産報告書３４を表示して、一胎毎に１から始まり連続する個体番号を付して、性別、毛色、体重、牡牝それぞれの数および合計数を記載した出産報告書を作成３４ａして、動画等画像３６を添付３６して送信２３される。
続いて死産の場合は、同様に死産報告書３５表示して個体番号、性別、体重、毛色牡牝の数及び合計数を記載して、画像３６ａを添付した死産報告書を作成３５ａして送信される。
前記００５４、００５５何れの場合も、該受信２３ａ情報は、繁殖会員データベース４、種牡データベース５、種牝データベース・受胎中ファイル６ｂ及び在庫生体データベース７（死産を除く）に出産および死亡事実が記録される。
更に続いて、前記００５６の各データベースへの出産記録と同時に、予め種牝飼育繁殖会員１２ｂと電子ペット牧場１ａとの間で締結された基本契約に基づき、産生仔買取りについての前記各データベースへの記録もここで行われる。従って電子ペット牧場１ａはこのとき、種牝飼育繁殖会員１２ｂに対して種類、品種、生体番号（胎毎の１から始まり連続する個体番号は末尾２桁に表示）、性別、毛色及び金額（後日販売価格が決定してからのときはその旨の記載）を記載した「産生仔買取り通知書」３２を作成して送信２３するようになっている。
第８図の実施例は産生仔の生育等に関してのものである。産生仔の生育状況については、一定期間毎の産生仔個々について報告することになっており、先ず、前記同様にログインのうえ、産生仔生育状況報告書３８を表示して個体番号、性別、毛色、体重、体高、肥満度、授乳量、動作、発声力、健康状態及び性格等を記載した産生仔生育状況報告書を作成３８ａのうえ、動画等画像を添付して送信２３することになっている。また、生育中の諸報告書３８ｂも、同様手順で行うことになっている。
続いて、産生仔死亡のときは前記同様にログインのうえ、産生仔死亡報告書３７を表示して、固体番号、性別、体重、毛色、死亡原因等を記載した産生仔死亡報告書を作成３７ａして、これに画像３６ａおよび獣医師の診断書３７ｂを添付して送信２３する。
前記００５８及び００５９何れの場合も、受信２３ａ情報は、繁殖会員データベース４、種牡データベース５、種牝データベース６および在庫生体データベース７に記録される。
第８図に示す実施例の、要送信報告書３９ａの検便報告書、駆虫報告書、ワクチン接種報告書、生育状況報告書及びその他報告書（必要によって指定する報告書）は一定の間隔を定めて提出するもので、その提出がなされないときは、決められた日を一定日数経過後自動的に「報告書未送信（未着）送信依頼３９」が送信２３され、その実行を催促するようになっている。
第９図に示す実施例は、ペット動物購入を希望する一般顧客に提供する購入前のシステムを示したものである。種類、品種別に生体在庫を一覧出来ることとは別に、種類、品種別に在庫生体を性別、毛色，日齢（生後日数）血統ランク（展覧会、共進会、ショウ等を権威別に分けて、更に始祖３代中にそれぞれのチャンピオン入賞数を数えて数値化するもので、１００点満点として１００点がランク１、１０点以下をランク１０とした評価ランクに分けて表示する）、飼育目的（ショウ用、繁殖用、ペット、番用、猟用等）、産地国、飼育地及び価格限度等を記載して、在庫生体検索４０ができるようになっている。
在庫生体選択結果４１は、上記在庫生体検索４０によって検索されたリストについて、詳細を「見る」をクリック（ハイパーリンク）すると在庫選択詳細４２が表示され、画像及び繁殖会員の該ペット動物生体に関するコメントをみることが出来る。
更に詳細を知りたいときは、在庫選択詳細４２最下行の「飼育環境・親仔の動画」、「血統内容」、「駆虫・ワクチン接種歴」、「罹患歴」及び「成長記録」をクリック（ハイパーリンク）すると、それぞれの詳細を見ることができるが、それでも未だ足りないときは「飼育・環境等の質問」ができるようになっている。
その場合は第１０図の実施例に示すように、飼育・環境等の質問４３をクリックすると「メッセージ作成画面」が表示され、前記の選択された当該生体につき、飼育環境、飼育状況等繁殖会員のみが直接知り得る内容についての、詳細情報を求める質問のＥメール送信４４を行って照会出来るようになっており、同質問のＥメールは一旦電子ペット牧場サーバーに入り、生体番号から繁殖会員を特定して自動的に繁殖会員へ転送され、繁殖会員の回答４５は電子ペット牧場サーバーを経由、電子ペット牧場を発信人として質問者へ送信されるようになっている。また、それ以外の取引上の質問は在庫生体明細４２の右上にある「取引上の質問」を設けてある。
前記飼育・環境等の質問４３及びその回答は繁殖会員データベース、一般顧客データベース８及び在庫生体データベース７に記録されるようになっている。
第１１図の実施例は在庫生体の予約と受付に関するものである。先ず、前記同様にログインのうえ生体予約申込書４６を表示して、予約するペット動物を特定、種類、品種、生体番号、性別、生年月日、毛色、血統ランク、飼育目的、産地国、飼育地、価格等を記載して同予約申込書を作成４６ａ、送信２３するようになっており、この受信情報に基づき、受注データベース予約受付ファイル９ａ、種牝データベース６、在庫生体データベース７及び繁殖会員データベース４に、それぞれ予約済みの記録がなされ、前記ネットワークを介して、一般顧客１４ａ（予約者）に予約確認通知４６ｃを、種牝飼育繁殖会員１２ｂに予約済通知４６ｄが送信される。尚、未予約在庫生体はリアルタイムで更新されるようになっている。
第１２図に示す実施例は在庫生体の一般顧客の注文と受注を示すものである。先ず、前記同様にログインのうえ、生体注文書４７を表示して、注文するペット動物の種類、品種、生体番号、予約番号、性別、生年月日、毛色、血統ランク、飼育目的、産地国、飼育地、金額、代金振込日及び銀行名等を記載して生体注文書を作成４７ａして送信２３する。該受信２３ａ情報は、全額前金受注制となっているため、受注データベース生体代金フォルダー９ｂの生体代金入金ファイル９ｃの入金を確かめ、未入金のときは未入金として生体代金未入金ファイル９ｂに記録、保留され、一定期間経過後自動的に再照合がなされ、尚未入金のときは申込者にその旨通知・送信されるようになっており、入金確認と同時に生体代金入金ファイル９ｃ、繁殖会員データベース，種牝データベース、在庫データベース及び受注データベースに記録されるとともに、一般顧客１４ａに生体注文請書４９を、繁殖会員に受注済通知書兼生体発送依頼通知書４８を、前記ネットワークを介し送信される。尚、受注可能な在庫生体はリアルタイムで更新されるようになっている。
第６図に示す実施例は、産生生体買取り時期を生体受注が確定した時としての契約締結がなされている場合の説明図である。先ず前記同様にログインのうえ、種牝飼育繁殖会員１３ｂへ生体受注済通知兼発送依頼３３が送信されると同時に、種類、品種、生体番号、性別、毛色、数及び金額を記載した産生仔買取通知書３２を作成、送信２３される。同時に繁殖会員データベース４、種牡データベース５及び種牝データベース６に記録される。
第１３図に示す実施例は生体発送通知と、生体代金及び交配料の支払いに関する流れを示すものである。受注した生体の発送を終えた種牝飼育繁殖会員１２ｂは、前記同様にログインの上、生体発送通知書５０ａを表示して種類、品種、生体番号、性別、毛色，金額、発送日時、発送方法、到着場所及び到着予定日時等を記載した生体発送通知書を作成５０ａして、注文者および電子ペット牧場へ、それぞれ前記ネットワークを通じて送信する。該受信情報は、在庫生体データベース７、繁殖会員データベース４、種牝データベース６、種牡データベース５受注データベース９、アフターサービスデータベース１０、一般会員データベース８へそれぞれ発送済みの記録がなされる。
また、一般会員へのＩＤ・パスワード２２の発行、会員登録も同時完了して、その通知が送信されるようになっている。
続いて、電子ペット牧場が買い入れた産生仔生体の売買価格は、予め取り決めた基本契約に基づき販売実現価格の一定率とし、交配料は原則として産生仔生体の販売実現単価相当金額とし、繁殖会員がこれを負担する旨約定されている。種牝飼育繁殖会員１２ｂの電子ペット牧場宛の生体発送通知５０ｃに基づき、自動的に産生仔生体代金は種牝データベース生体代金計算部６ａで、交配料は種牡データベース交配料計算部５ａで、それぞれの計算が行われ、確定した生体代金及び交配料金は予め契約されたネット銀行５３へ生体代金振込依頼５２及び交配料金振込依頼５１がそれぞれ送信され、予め指定されたそれぞれの銀行口座へ振り込まれ、種牝飼育繁殖会員１２ｂへの生体代金送金通知５２ａ並びに種牡飼育繁殖会員１２ａへの交配料送金通知５１ａも同時に送信されるようになっている。
前記繁殖会員からの生体発送情報を記録した第１４図に示す実施例は、アフターサービスデータベース１０は、同情報に基づき別途、予め契約した損害保険会社へ、当該生体の損害賠償保険加入申込書５７を送信２３するとともに、一般会員１４へ損保申込済通知を送信５４するようになっている。損害保険証書５７ｂは、損害保険申込書５７を受信５７ａした損害保険会社から送信２３され、これを受信したアフターサービスデータベース５７ｃから一般会員１４へ自動的に送信するようになっている。
続いてアフターサービスの一角生命保証について、一般会員１４の購入生体死亡５８時は、前記同様ログインのうえ生体死亡報告書５８ａを表示して種類、品種、生体番号、性別、毛色、死亡日時、死亡原因を記載した生体死亡通知書５８ｂを作成して、これに獣医師の死亡診断書及び死亡生体の画像を添付５８ｂして送信２３されるようになっている。この受信に基づき、アフターサービスデータベース１０では生命保証条件に適合するか否かの判定を行う生命保証条件合否審査１０ａが行われ、保証条件を満たしていないときは生命保証不適通知・送信１０ｂがなされ、同条件を満たしているときは、代生体提供決定通知１０Ｃが一般会員に送信２３され、一方受注データベース９は代・生体である旨の記録を行って、受注扱い（以下の手続きは前記一般受注に準じる）にするようになっている。
更にもうひとつのアフターサービスに、予めペット共済事業者と基本契約してあるペット共済がある。これは共済事業者に共済加入申込書を送信５５する一方、一般会員に共済加入手続き済通知が送信５４され、加入申込を受信５６した当該共済事業者から送信された会員資格証書５６ａは直ちに一般会員へ送信するようになっている。
第７図に示す実施例の出産報告書３４ａ受信翌日以降、図１２の生体受注確定前までの間に、繁殖会員から生体を買取る方法である。つまり産生仔生体の出生翌日以降受注確定前までの間に買取ることを特徴とする。
【産業上の利用可能性】    以上のように、本発明にかかるペット動物の繁殖・販売に関するシステム（電子ペット牧場サーバーシステム）は、ペット動物の繁殖・販売を殆んど無人で、コンピュータシステムによって行うため、低コストが実現する。従って、その分格安販売が可能となり、しかも、繁殖者から購入者への直接流通の結果、罹患及び死亡リスクも大幅に低減され、堅実な事業展開が可能となる。
【図１】
2004097699.tif 000003
【図２】
2004097699.tif 000004
【図３】
2004097699.tif 000005
【図４】
2004097699.tif 000006
【図５】
2004097699.tif 000007
【図６】
2004097699.tif 000008
【図７】
2004097699.tif 000009
【図８】
2004097699.tif 000010
【図９】
2004097699.tif 000011
【図１０】
2004097699.tif 000012
【図１１】
2004097699.tif 000013
【図１２】
2004097699.tif 000014
【図１３】
2004097699.tif 000015
【図１４】
2004097699.tif 000016
【国際調査報告】
2004097699.tif 000017
2004097699.tif 000018